(57)【要約】  本発明は、ヘアドライヤーに係り、本発明のヘアドライヤーは、吸気口（１１）と排気口（１２）が設けられ、且つ吸気口（１１）と排気口（１２）を連通する送風通路（１３）を備えるケーシング（１）と、送風通路（３）に装着され、空気を吸気口（１１）から排気口（１２）に排出するファン（２）と、ケーシング（１）内に装着され、排気口（１２）の方向に水粒子を提供する水粒子発生装置（１３）と、を含み、ケーシング（１）内には、水粒子発生装置（３）を装着する装着チャンバー（１４）が設けられ、装着チャンバー（１４）は、吸気口（１１）と連通する冷風風路（１５）と、水粒子を放出する粒子排出口（１６）とを備え、冷風風路（１５）を流れた冷風は、水粒子発生装置（３）で発生した水粒子を粒子排出口（１６）に排出する。【選択図】図１
2019535446.tif 000002
【特許請求の範囲】
【請求項１】
吸気口と排気口が設けられ、且つ吸気口と排気口を連通する送風通路を備えるケーシングと、
前記送風通路に装着され、空気を吸気口から排気口に排出するファンと、
前記ケーシング内に装着され、排気口の方向に水粒子を提供する水粒子発生装置と、を含み、
前記ケーシング内には、水粒子発生装置を装着する装着チャンバーが設けられ、前記装着チャンバーは、吸気口と連通する冷風風路と、水粒子を放出する粒子排出口とを備え、前記冷風風路を流れた冷風は、水粒子発生装置で発生した水粒子を粒子排出口に排出することを特徴とするヘアドライヤー。
【請求項２】
前記水粒子発生装置は、凝縮棒と、冷却器と、放電電極セットと、高圧電源とを含み、
高圧電源は、前記放電電極セットに高電圧を印加して、前記放電電極セットに高電圧コロナを発生させ、前記放電電極セットは、前記凝縮棒に高電圧コロナを印加して、凝縮棒に付着した凝縮水が高電圧コロナにより励起されて霧化水粒子を形成することを特徴とする請求項１に記載のヘアドライヤー。
【請求項３】
前記水粒子発生装置には、絶縁ブラケットがさらに設けられ、
前記放電電極セットと冷却器は、絶縁ブラケットの両側にそれぞれ装着されていることを特徴とする請求項２に記載のヘアドライヤー。
【請求項４】
前記放電電極セットは、互いに協働する第１の電極と第２の電極を含み、
前記第１の電極と第２の電極は、凝縮棒の両側にそれぞれ位置することを特徴とする請求項３に記載のヘアドライヤー。
【請求項５】
前記第１の電極と第２の電極は、連結ロック片と放電先端をそれぞれ含み、
前記絶縁ブラケットには、第１の電極と第２の電極との連結ロック片を隔離させる絶縁仕切板がさらに設けられることを特徴とする請求項４に記載のヘアドライヤー。
【請求項６】
前記冷却器は、前記凝縮棒と接触して前記凝縮棒の温度を下げて冷却させ、
前記冷却器には、放熱モジュールがさらに設けられ、前記放熱モジュールは、冷却器と一体に設けられ、前記放熱モジュールは、前記凝縮棒から離れることを特徴とする請求項２に記載のヘアドライヤー。
【請求項７】
前記水粒子発生装置には、放熱フィンがさらに設けられ、前記放熱フィンは、前記放熱モジュールと接触し、且つ前記凝縮棒から離れた方向に延在することを特徴とする請求項６に記載のヘアドライヤー。
【請求項８】
前記送風通路には、筒状の発熱枠が組み立てられ、前記筒状の発熱枠の外周は、熱遮断枠を周回することを特徴とする請求項１乃至７の何れか一項に記載のヘアドライヤー。
【請求項９】
前記装着チャンバーは、前記送風通路の上方に位置し、且つ前記粒子排出口は、前記前記排気口と同じ平面に設置されていることを特徴とする請求項１乃至７の何れか一項に記載のヘアドライヤー。
【請求項１０】
前記ケーシングは、ヘッドとハンドルを含み、
前記ヘッドは、円柱体を呈し、前記円柱体の両端部は、それぞれ吸気口と排気口であることを特徴とする請求項１乃至７の何れか一項に記載のヘアドライヤー。
【発明の詳細な説明】
【技術分野】
【０００１】
本出願は、出願番号が２０１７２０６５１３５２．２であって、出願日が２０１７年５月３１日である中国特許出願に基づいて提出し、当該中国特許出願の優先権を主張し、当該中国特許出願のすべての内容を本出願に援用する。
【０００２】
本発明は、家電機器の分野に係り、特に、ヘアドライヤーに関する。
【背景技術】
【０００３】
ヘアドライヤーは、家庭で通常用いられる家電製品として、濡れた髪を送風して乾燥させる。一般的なヘアドライヤーにおいて、濡れた髪は、その構造がヘアドライヤーの熱風によって容易に破壊され、栄養分も高温で蒸発されるので、このようなヘアドライヤーを長期的に使用する場合、髪が荒れてケアが難しくなり、ひいては、損傷や黄変が発生することになる。ユーザーの使用体験を向上させるために、いくつかのメーカーは、ヘアドライヤーにマイナスイオン放出装置を配置して、送風を行うと同時にマイナスイオンを放出させることで、髪に帯びられる正電荷を中和させて、静電気を除去して、髪が柔順になり、保湿の役割と髪を保護する役割を果たしている。しかし、従来のマイナスイオン放出装置は、髪と頭皮に対する保湿効果が制限的であり、毛染めやパーマにより損傷したアルカリ性髪を中和することができなく、髪が健康な弱酸性の状態になるようにすることができない。
【発明の概要】
【発明が解決しようとする課題】
【０００４】
上記の従来の技術に存在する問題を解決するために、本発明は、水粒子を放出することができるヘアドライヤーを提供する。
【課題を解決するための手段】
【０００５】
上記の問題を解決するために、本発明は、以下のような技術方案を採用する。
【０００６】
本発明のヘアドライヤーは、
吸気口と排気口が設けられ、且つ吸気口と排気口を連通する送風通路を備えるケーシングと、
前記送風通路に装着され、空気を吸気口から排気口に排出するファンと、
前記ケーシング内に装着され、排気口の方向に水粒子を提供する水粒子発生装置と、を含み、
前記ケーシング内には、水粒子発生装置を装着する装着チャンバーが設けられ、前記装着チャンバーは、吸気口と連通する冷風風路と、水粒子を放出する粒子排出口とを備え、前記冷風風路を流れた冷風は、水粒子発生装置で発生した水粒子を粒子排出口に排出する。
【０００７】
本発明のヘアドライヤーには、水粒子発生装置が設けられ、ケーシング内には、水粒子発生装置を装着する装着チャンバーが設けられ、前記装着チャンバーは、吸気口と連通する冷風風路と、水粒子を放出する粒子排出口を備える。冷風風路は、水粒子発生装置に湿った空気を提供し、前記冷風風路を流れた冷風は、水粒子発生装置を経由した後、水粒子を発生し、冷風によって前記水粒子を粒子排出口に排出し、水粒子の放出を実現する。
【０００８】
前記の技術方案は、以下のような技術手段で、さらに完備されることができる。
【０００９】
前記水粒子発生装置は、凝縮棒と、冷却器と、放電電極セットと、高圧電源とを含み、高圧電源は、前記放電電極セットに高電圧を印加して、前記放電電極セットに高電圧コロナを発生させ、前記放電電極セットは、前記凝縮棒に高電圧コロナを印加して、凝縮棒に付着した凝縮水が高電圧コロナにより励起されて霧化水粒子を形成する。本発明において、前記水粒子発生装置の凝縮棒は、前記冷風風路を流れた冷風中の水を凝縮させ、凝縮水は、凝縮棒に付着され、放電電極セットによって励起されて霧化水粒子を形成する。本発明のヘアドライヤーは、冷風風路中の水を集めると共に励起して、水粒子を形成し、前記水粒子は、弱酸性であり、毛染めやパーマにより損傷したアルカリ性髪を中和することができ、髪が健康な弱酸性の状態になるようにする。
【００１０】
前記水粒子発生装置には、絶縁ブラケットがさらに設けられ、前記放電電極セットと冷却器は、絶縁ブラケットの両側にそれぞれ装着されている。本発明において、前記放電電極セットと冷却器は、絶縁ブラケットの両側にそれぞれ装着されて、冷却器と放電電極セットを絶縁離隔させることで、放電電極セットに受けられる高電圧により冷却器を損なうことによる冷却器が破壊されまたは高圧磁場障害にあるなどのことを避ける。
【００１１】
前記放電電極セットは、互いに協働される第１の電極と第２の電極を含み、前記第１の電極と第２の電極は、凝縮棒の両側にそれぞれ位置する。前記放電電極セットの第１の電極と第２の電極は、凝縮棒を取り囲んで、当該凝縮棒を放電電極セットが高電圧を受けることにより発生される高電圧コロナに位置させる。高電圧コロナと凝縮水の位置は、合わせてずれ難くなり、これにより、凝縮棒に凝縮した凝縮水の霧化効果は、より優れる。
【００１２】
前記第１の電極と第２の電極は、連結ロック片と放電先端をそれぞれ含み、前記絶縁ブラケットには、第１の電極と第２の電極との連結ロック片を隔離させる絶縁仕切板がさらに設けられる。前記絶縁仕切板は、第１の電極と第２の電極を効果的に絶縁隔離させる。
【００１３】
前記冷却器は、前記凝縮棒と接触して前記凝縮棒の温度を下げて冷却させ、前記冷却器には、放熱モジュールがさらに設けられ、前記放熱モジュールは、冷却器と一体に設けられ、前記放熱モジュールは、前記凝縮棒から離れる。冷却器の冷却効果を高めるために、前記冷却器の凝縮棒から離れた一側には、放熱モジュールが組み立てられる。
【００１４】
前記水粒子発生装置には、放熱フィンがさらに設けられ、前記放熱フィンは、前記放熱モジュールと接触し、且つ前記凝縮棒から離れた方向に延在する。放熱フィンは、却器の凝縮棒から離れた一側への放熱を速めることにより、凝縮棒が付着された一側の冷却効果を保証することができる。
【００１５】
前記送風通路には、筒状の発熱枠が組み立てられ、前記筒状の発熱枠の外周は、熱遮断枠を周回する。筒型発熱枠は、送風通路を流れた気流が均一に熱を受けるようにし、温度上昇を安定的に制御し、筒型発熱枠の外周は、熱遮断枠を周回し、発熱枠の高温を遮断することにより、高温が装着チャンバー内の水粒子発生装置を影響することを回避でき、高温で水粒子を乾燥させることを防止することができる。
【００１６】
前記装着チャンバーは、前記送風通路の上方に位置し、且つ前記粒子排出口は、前記前記排気口と同じ平面に設置されて、水粒子の運動経路を短縮させることで、水粒子が送風通路中のドライ送風と一緒に排出されて、ユーザーの髪に作用し、水粒子の保湿効果を最大限に確保する。
【００１７】
前記ケーシングは、ヘッドとハンドルを含み、前記ヘッドは、円柱体を呈し、前記円柱体の両端部は、それぞれ吸気口と排気口である。本発明のヘアドライヤーは、円柱体形状のヘッドを採用し、排気口から排出されるドライ送風と粒子排出口から排出される水粒子を含有する気流ができるだけ平行に排出するようにすることで、２つの気流が交差干渉して、水粒子を風乾させ、水粒子の含有量を低下させることを回避する。また、円柱体の両端部は、それぞれ吸気口と排気口であるため、風圧損失を最大限に低減し、エネルギー消費を低減し、ヘアドライヤーの髪を乾燥させる効率を向上させることができる。
【００１８】
従来技術に比べて、上記の技術方案を適用した後、本発明は、以下の利点を有する。
【００１９】
本発明のヘアドライヤーは、弱酸性の水粒子を放出する機能を備え、毛染めやパーマにより損傷したアルカリ性髪を中和することができる。同時に、本発明のヘアドライヤーは、安全で信頼性があり、霧化効果が優れ、風圧損失を最大限に低減し、エネルギー消費を低減し、髪を乾燥させる効率を向上させることができる。
【図面の簡単な説明】
【００２０】
【図１】本発明に係るヘアドライヤーの構造の模式図である。
【図２】本発明に係るヘアドライヤーの構造の模式図である。
【図３】本発明に係る水粒子発生装置の構造の模式図である。
【図４】図１におけるＡ部の拡大図である。
【発明を実施するための形態】
【００２１】
以下、図面と結合して、本発明について詳細に説明する。
【００２２】
本発明は、ヘアドライヤーに係り、図１〜図４に示すように、本発明のヘアドライヤーは、吸気口１１と排気口１２が設けられ、吸気口１１と排気口１２を連通する送風通路１３を備えるケーシング１と、前記送風通路１３に装着され、空気を吸気口１１から排気口１２に排出するファン２と、前記ケーシング１内に装着され、排気口１２の方向に水粒子を提供する水粒子発生装置３とを含み、前記ケーシング１内には、水粒子発生装置３を装着する装着チャンバー１４が設置され、前記装着チャンバー１４は、吸気口１１と連通する冷風風路１５と水粒子を放出する粒子排出口１６を備え、前記冷風風路１５を流れた冷風は、水粒子発生装置３で発生した水粒子を粒子排出口１６に排出する。
【００２３】
本発明のヘアドライヤーには、水粒子発生装置３が設置されており、ケーシング１内には、水粒子発生装置３を装着するための装着チャンバー１４が設置され、前記装着チャンバー１４は、冷風風路１５と水粒子を放出する粒子排出口１６を備える。冷風風路１５は、水粒子発生装置に湿った空気を提供し、前記冷風風路１５を流れた冷風は、水粒子発生装置３を経由した後、凝縮すると共に霧化して水粒子を発生し、冷風によって当該水粒子を粒子排出口１６に排出し、水粒子の放出を実現する。
【００２４】
前記水粒子発生装置３は、凝縮棒３１と、冷却器３２と、放電電極セット３３と高圧電源を含む。高圧電源は、前記放電電極セット３３に高電圧を印加して、前記放電電極セット３３に高電圧コロナを発生させる。前記放電電極セット３３は、前記凝縮棒３１に高電圧コロナを印加して、凝縮棒３１に付着した凝縮水が高電圧コロナによって励起されて霧化水粒子を形成するようにする。本発明において、前記水粒子発生装置３の凝縮棒は、前記冷風風路１５を流れた冷風中の水を凝縮させ、凝縮水は凝縮棒３１に付着され、放電電極セット３３によって励起されて霧化水粒子を形成する。本発明のヘアドライヤーは、冷風風路１５中の水を集めて励起して、水粒子を形成し、前記水粒子は、弱酸性であり、毛染めやパーマにより損傷したアルカリ性髪を中和することができ、髪が健康な弱酸性の状態になるようにする。
【００２５】
前記水粒子発生装置は、絶縁ブラケット３４をさらに備え、前記放電電極セット３３と冷却器３２は、絶縁ブラケット３４の両側にそれぞれ装着される。本発明において、前記放電電極セット３３と冷却器３２は、絶縁ブラケット３４の両側にそれぞれ装着されて、冷却器３２と放電電極セット３３を絶縁離隔させることで、放電電極セット３３に受けられた高電圧により冷却器３２を損なうことによる冷却器３２が破壊されまたは高圧磁場障害にあるなどのことを避ける。
【００２６】
前記放電電極セット３３は、互いに協働する第１の電極３３１と第２の電極３３２を含み、前記第１の電極３３１と前記第２の電極３３２は、凝縮棒３１の両側にそれぞれ位置する。前記放電電極セット３３の第１の電極３３１と第２の電極３３２は、凝縮棒３１を取り囲んで、当該凝縮棒３１を放電電極セット３３が高電圧を受けることにより発生される高電圧コロナに位置させる。高電圧コロナと凝縮水の位置は、合わせてずれ難くなり、これにより、凝縮棒３１に凝縮した凝縮水の霧化効果は、より優れる。
【００２７】
前記第１の電極３３１と第２の電極３３２は、連結ロック片３３３と放電先端３３４をそれぞれ含み、前記絶縁ブラケット３４には、第１の電極３３１と第２の電極３３２との連結ロック片３３３を隔離させる絶縁仕切板３４１がさらに設けられる。第１の電極３３１と第２の電極３３２を効果的に絶縁させるために、本発明には、絶縁仕切板３４１がさらに設けられる。
前記冷却器３２は、前記凝縮棒３１と接触して前記凝縮棒３１の温度を下げて冷却させる。前記冷却器３２には、放熱モジュール３５がさらに設けられ、前記放熱モジュール３５は、冷却器３２と一体に設置され、前記放熱モジュール３５は、前記凝縮棒３１から離れる側に設置される。冷却器３２の冷却効果を高めるために、前記冷却器３２の凝縮棒３１から離れた一側には、放熱モジュール３５が組み立てられる。前記水粒子発生装置３には、放熱フィン３６がさらに設けられ、前記放熱フィン３６は、前記放熱モジュール３５と接触し、且つ前記凝縮棒３１から離れた方向に延在する。放熱フィン３６は、冷却器３２の凝縮棒３１から離れた一側への放熱を速めることにより、凝縮棒３１が付着された一側の冷却効果を保証することができる。
【００２８】
前記送風通路１３には、筒状の発熱枠４が組み立てられ、前記筒状の発熱枠４の外周は、熱遮断枠５を周回する。筒状の発熱枠４は、送風通路を流れた気流が均一に熱を受けるようにし、温度上昇を安定的に制御し、筒状の発熱枠４の外周は、熱遮断枠５を周回し、発熱枠４の高温を遮断することにより、高温が装着チャンバー１４内の水粒子発生装置３を影響することを回避でき、高温で水粒子を乾燥させることを防止することができる。
【００２９】
前記装着チャンバー１４は、前記送風通路１３の上方に位置し、且つ前記粒子排出口１６は、前記排気口１２と同じ平面に設置される。粒子排出口１６と排気口１２は、同じ平面に設置されて、水粒子の運動経路を短縮させることで、水粒子が送風通路１３中のドライ送風と一緒に排出されて、ユーザーの髪に作用し、水粒子の保湿効果を最大限に確保する。
【００３０】
前記ケーシング１は、ヘッド１７とハンドル１８を含み、前記ヘッド１７は、円柱体を呈し、前記円柱体の両端部は、それぞれ吸気口１１と排気口１２である。本発明のヘアドライヤーは、円柱体形状のヘッドを採用し、排気口１２から排出されるドライ送風と粒子排出口１６から排出される水粒子を含有する気流ができるだけ平行に排出するようにすることで、２つの気流が交差干渉して、水粒子を風乾させ、水粒子の含有量を低下させることを回避する。また、円柱体の両端部は、それぞれ吸気口１１と排気口１２であるため、風圧損失を最大限に低減し、エネルギー消費を低減し、ヘアドライヤーの髪を乾燥させる効率を向上させることができる。
【００３１】
上記の実施形態は、単に本発明の好適な実施形態だけであり、本発明のすべての実施例ではない、当業者は、本発明の原理に基づいて、様々な変形を行うことができ、このような変形は、本発明の技術思想を逸脱しない限り、いずれも本発明の特許請求の範囲で定義された範囲に含まれるべきである。
【図面の符号の説明】
【００３２】
１：ケーシング、１１：吸気口、１２：排気口、１３：送風通路、１４：装着チャンバー、１５：冷風風路、１６：粒子排出口、１７：ヘッド、１８：ハンドル、２：ファン、３：水粒子発生装置、３１：凝縮棒、３２：冷却器、３３：放電電極セット、３３１：第１の電極、３３２：第２の電極、３３３：連結ロック片、３３４：放電先端、３４：絶縁ブラケット、３４１：絶縁仕切板、３５：放熱モジュール、３６：放熱フィン、４：発熱枠、５：熱遮断枠。
【図１】
2019535446.tif 000003
【図２】
2019535446.tif 000004
【図３】
2019535446.tif 000005
【図４】
2019535446.tif 000006
【国際調査報告】
2019535446.tif 000007
2019535446.tif 000008
2019535446.tif 000009
2019535446.tif 000010
2019535446.tif 000011